(57)【要約】【課題】地震等の災害発生時に、仮設トイレ用配管構造を使用するために必要不可欠な給水において、電源や動力が不要で、簡易的な構造をもって、水の無駄な使用を防ぐことができるとともに、既に設置された仮設トイレ用配管にも周囲の土を掘削する等の土木工事が不要で容易に設置することができる仮設トイレ用配管構造を提供する。【解決手段】排水横管に給水する給水用縦管と、この給水用縦管の上端を塞ぐ蓋と、前記排水横管内の水に浮かぶように設けられた総比重が１より小さい浮体を少なくとも有する水位確認手段を備え、この水位確認手段は、前記蓋で給水用縦管の上端を塞いだ状態で、蓋上方から視認可能で前記浮体の上下に連動して位置が移動して水位を確認可能な水位確認部が前記浮体の一部あるいは浮体の上端部に連設され浮体の上下に連動して位置移動する部材に設けられている構成とした。【選択図】      図１
2016211220.tif 000002
【特許請求の範囲】
【請求項１】
地中に埋設される排水横管と、複数の縦管を備え、
前記排水横管は、下流側で排水経路に接続されるとともに、排水横管内の規定された水位まで貯水可能に前記排水横管の下流側端部で、前記排水横管を堰き止める開閉可能な貯水ゲートを備えていて、
前記複数の縦管は、前記排水横管の管軸方向に適当な間隔を開けるとともに、各縦管の下端部が前記排水横管に接続されるとともに、各縦管の上端面が地表に据え付けられる便器と連結され得るように、地表に開口している仮設トイレ用配管構造において、
前記排水横管に給水する給水用縦管と、
この給水用縦管の上端を塞ぐ蓋と、
前記排水横管内の水に浮かぶように設けられた総比重が１より小さい浮体を少なくとも有する水位確認手段を備え、
この水位確認手段は、前記蓋で給水用縦管の上端を塞いだ状態で、蓋上方から視認可能で前記浮体の上下に連動して位置が移動して水位を確認可能な水位確認部が前記浮体の一部あるいは浮体の上端部に連設され浮体の上下に連動して位置移動する部材に設けられていることを特徴とする仮設トイレ用配管構造。
【請求項２】
給水用縦管の蓋が、上下に貫通する貫通孔を有するとともに、
水位確認手段は、浮体が、浮体本体と、この浮体本体に下端が支持され前記貫通孔を前記蓋の下方から臨むように設けられたガイド部にガイドされながら上下動する棒状体からなり、
この棒状体あるいは棒状体の上端から延設された部材が前記貫通孔を介して蓋の上方に突出するように設けられている請求項１に記載の仮設トイレ用配管構造。
【請求項３】
棒状体の上端に棒状体の周囲にはみ出るようにストッパーが設けられ、貫通孔の内部に前記ストッパーが係止される係止部が設けられるとともに、前記棒状体が、前記ストッパーが係止部に係止された状態で、浮体の下端を排水横管の管底壁に非接触状態にする長さに形成されている請求項２に記載の仮設トイレ用配管構造。
【請求項４】
ガイド部が棒状体を内部に挿通した筒状体で形成され、この筒状体の壁面に筒状体の軸方向に長いスリットを備えている請求項２または請求項３に記載の仮設トイレ用配管構造。
【請求項５】
蓋に給水管の先端が連結される給水孔が設けられている請求項１〜請求項４のいずれかに記載の仮設トイレ用配管構造。
【請求項６】
蓋が給水用縦管内の水位確認部を視認可能な透明部を備えている請求項１〜請求項５のいずれかに記載の仮設トイレ用配管構造。
【請求項７】
給水用縦管が排水横管の排水勾配の最上流側に設けられている請求項１〜６のいずれかに記載の仮設トイレ用配管構造。
【発明の詳細な説明】
【技術分野】
【０００１】
本発明は、仮設トイレ用配管構造に関する。
【背景技術】
【０００２】
地震等の災害発生時には、給水設備や給電設備が破損し、復旧に時間がかかり、水洗トイレが長期間使用できなくなる場合がある。
そこで、横方向に沿って地中に埋設された排水横管と、排水横管の上部に、軸方向に適当な間隔を開けてそれぞれの下端部が接続されるように、それぞれが縦方向に沿って配置されており、地表に据え付けられる便器と連結され得るように、上端面がそれぞれ地表に開口している複数の縦管と、前記排水横管の一方の端部が接続されたマンホールと、このマンホールと既設の下水管路とを連結する流出管と、前記排水横管の内部に流体が貯留されるように排水横管の端部を開閉し得るように配置されており、排水横管の端部が開放されることによって排水横管内の流体をマンホール内に流出させるようになった貯水ゲートと、を具備することを特徴とする仮設トイレ用配管構造が提案されている（特許文献1）。
【０００３】
また、上記貯水ゲートは、上端部にオーバーフロー可能な開口（以下、「オーバーフロー口」と記す）を備え、排水横管に貯められた排泄物やトイレットペーパー等を含む水（以下、本発明では「汚水」と記す）の水位が貯水ゲートより高くなると、上記オーバーフロー口からオーバーフローしてマンホール等の下水経路に流れ出るようになっている。
【０００４】
そして、上記仮設トイレ用配管構造によれば、予め避難所となりうる学校のグランド等に排水横管および縦管を埋設するとともに、排水横管を下水道のマンホール等の下水経路に直結しておけば、災害が発生して、避難所が開設されたとき、便器が縦管に連結されるように簡易式トイレを設置するとともに、貯水ゲートを閉じた状態で上水道、プール，雨水貯留タンク、災害時給水車等から、排水横管内に所定の水位になるまで注水しておくことで、汚水の汲み取り、輸送等の必要がなく、衛生的な仮設トイレを避難所に設けることができる。
【０００５】
すなわち、上記仮設トイレ用配管構造によれば、排水横管内に水を貯めた状態でトイレを使用するため、排泄物やトイレットペーパーなどが排水横管内で軟化状態を保ったまま保持される。
そして、排泄物やトイレットペーパーが排水横管内で固まって堆積しないため、貯水ゲートを開放状態にすることによって、排水横管内に貯まった排泄物やトイレットペーパー等を水とともに容易に下水経路に流すことができる。
【０００６】
ところで、災害時には、配管の破損等によって上水道が使用できなくなることもあるため、プール、雨水貯留タンク、災害時給水車等から排水横管内に注水するようになることが起こりうるが、プール、雨水貯留タンク、災害時給水車等の場合、上水道と異なり、注水できる水の総量に限りがあり、必要以上に注水することを避けなければならない。
そこで、排水横管の貯留水位を確認しつつ注水を行って、水の使用量を必要最小限にすることが好ましい。
【０００７】
上記仮設トイレ用配管構造では排水横管内の貯留水位の確認には、例えば、以下のような（１）〜（５）のような方法を採ることができる。
（１）貯水ゲートが設けられるマンホールの地表面に設置されている金属製フタ（開口部内径約20cm  フタ重量5kg程度）を開け、地表面開口部から約60〜150cm下（マンホールの種類による）にある貯水ゲートのオーバーフロー開口部の下流付近を直接目視して、溢水の流出有無を確認する。
（２）排水横管に接続される縦管のうち、給水に使用される縦管（給水用縦管）の上端部地表面に設置される金属製フタ（重量5kg程度）を開け、内部に臭気発散防止に設けられる内フタ（重量0.2kg）を開け、縦管上端部から排水横管内を目視し、貯水の水面の位置を感覚的に把握して貯水位と判断する。
（３）給水用縦管から、あるいは排水横管底部からものさしのような長さ目盛りをもつものを設け、縦管の地表面から水面がものさしのどの目盛りにあるかを目視して水位確認を行う。
（４）排水横管の貯水水位以下の位置から、ガラス管のようなその内部を通る流体の水面が目視できるような部材を分岐配管して、排水横管の水位と連動する部材内の水面を目視して水位を確認する。
（５）排水横管内に電極棒式の水位計を設置して、排水横管内の所定の水位を検知して水位を確認する。
しかし、上記５つの方法にはそれぞれ問題点がある。
【０００８】
（１）の方法の問題点
貯水ゲートのオーバーフロー開口部は、地表面から60cm〜150cm程度下にあり、マンホールの地表面開口部（内径約20cm）からマンホール内に顔を近づけ、ゲート下流にオーバーフロー水の流出有無を目視で確認することが可能だが、貯水水位を直視することが貯水ゲートの構造上難しく、望ましい水位かどうかの判断はできない。
なお、直径90cmのマンホール蓋全体（重量約40kg）を開けて目視した場合でも、貯水ゲートのオーバーフロー開口部は見えるがゲートの向こうの貯水位を見ることは構造上困難である。
マンホール内に顔を近づけるために、排水横管内の汚水臭気を直接嗅いでしまう。したがって、人によっては気分を害す可能性もある。
（２）の方法の問題点
排水横管の水面水位は、給水用縦管の地表面付近から40cm〜130cm程度下にあり、縦管の上端開口部に顔を近づけ、目視で水面は認められるが水位の判断は非常に困難である。
縦管上端開口部に顔を近づけるために、排水横管内の汚水臭気を直接嗅いでしまう。したがって、人によっては気分を害す可能性もある。
（３）の方法の問題点
目盛りを見るのに、縦管の蓋を取り外さなければならず、また、縦管上端開口部に顔を近づけるために、排水横管内の汚水臭気を直接嗅いでしまう。したがって、人によっては気分を害す可能性もある。
また、目盛りが40cm〜130cm程度下にあり、暗くて目盛りを確認するには、照明が必要になる。
（４）の方法の問題点
ガラス管等の分岐配管を目視するために、縦管の蓋を取り外さなければならず、また、縦管上端開口部に顔を近づけるために、排水横管内の汚水臭気を直接嗅いでしまう。したがって、人によっては気分を害す可能性もある。
また、分岐配管が暗所にあるため、分岐配管の水位を確認するには、照明が必要になる。
（５）の方法の問題点
電極棒式の水位計では、給電設備が損傷を受けた場合、水位の検知ができない。
【先行技術文献】
【特許文献】
【０００９】
【特許文献１】特許第4104197号公報
【発明の概要】
【発明が解決しようとする課題】
【００１０】
本発明は、上記事情に鑑みて、地震等の災害発生時に、仮設トイレ用配管構造を使用するために必要不可欠な給水において、電源や動力が不要で、簡易的な構造をもって、水の無駄な使用を防ぐことができるとともに、既に設置された仮設トイレ用配管にも周囲の土を掘削する等の土木工事が不要で容易に設置することができる仮設トイレ用配管構造を提供することを目的としている。
【課題を解決するための手段】
【００１１】
上記目的を達成するために、本発明にかかる仮設トイレ用配管構造（以下、「本発明の配管構造」と記す）は、地中に埋設される排水横管と、複数の縦管を備え、前記排水横管は、下流側で排水経路に接続されるとともに、排水横管内の規定された水位まで貯水可能に前記排水横管の下流側端部で、前記排水横管を堰き止める開閉可能な貯水ゲートを備えていて、前記複数の縦管は、前記排水横管の管軸方向に適当な間隔を開けるとともに、各縦管の下端部が前記排水横管に接続されるとともに、各縦管の上端面が地表に据え付けられる便器と連結され得るように、地表に開口している仮設トイレ用配管構造において、前記排水横管に給水する給水用縦管と、この給水用縦管の上端を塞ぐ蓋と、前記排水横管内の水に浮かぶように設けられた総比重が１より小さい浮体を少なくとも有する水位確認手段を備え、この水位確認手段は、前記蓋で給水用縦管の上端を塞いだ状態で、蓋上方からから視認可能で前記浮体の上下に連動して位置が移動して水位を確認可能な水位確認部が前記浮体の一部あるいは浮体の上端部に連設され浮体の上下に連動して位置移動する部材に設けられていることを特徴としている。
【００１２】
本発明の配管構造は、特に限定されないが、給水用縦管の蓋が、上下に貫通する貫通孔を有するとともに、水位確認手段は、浮体が、浮体本体と、この浮体本体に下端が支持され前記貫通孔を前記蓋の下方から臨むように設けられたガイド部にガイドされながら上下動する棒状体からなり、この棒状体あるいは棒状体の上端から延設された部材が前記貫通孔を介して蓋の上方に突出するように設けられている構成とすることができる。
すなわち、上記のような構成とすれば、棒状体あるいは他の部材の蓋から突出割合をみて水位を判断することができる。
【００１３】
また、上記ガイド部を、棒状体を内部に挿通した筒状体で形成し、この筒状体がその壁面に筒状体の軸方向に長いスリットを備えていることが好ましい。
すなわち、スリットを、棒状体に設けた水位を示す目盛りなどの確認窓とすることができるとともに、万一、筒状体内に棒状体のスライドを阻害する析出物等が生じた場合、スリットから洗浄水を筒状体内に噴射して析出物を容易に洗い流すことができる。
【００１４】
また、本発明の配管構造は、上記棒状体の上端にストッパーを備えるとともに、貫通孔の内部に前記ストッパーが係止される係止部が設けられるとともに、前記棒状体が、前記ストッパーが係止部に係止された状態で、浮体の下端を排水横管の管底壁に非接触状態にする長さに形成されていることが好ましい。
すなわち、上記ようにすれば、排水横管内に貯水された水をすべて排水しても、浮体の下端が排水横管の管底壁に決して衝突しない。したがって、浮体が衝突の衝撃で破損するということがなくなる。
【００１５】
本発明の配管構造は、蓋に給水管の先端が連結される給水孔が設けられている構成としてもよい。
すなわち、上記のようにすれば、給水孔と、水位確認手段が間近に設けられるので、給水する作業者が、給水作業をしながら、水位確認手段による水位の確認を容易に行える。
【００１６】
本発明の配管構造は、蓋が給水用縦管内の水位確認部を視認可能な透明部を備えている構成としてもよい。
透明部は、蓋全体に設けてもよいし、蓋の一部でもよい。
透明部を構成する材料としては、例えば、ガラス、透明樹脂が挙げられる。
【００１７】
本発明の配管構造は、給水用縦管が排水横管の排水勾配の最上流側に設けられていることが好ましい。
すなわち、給水用縦管を最上流に設けることによって、給水用縦管から排水横管に給水された水が、排水横管の下流側に向って流れる。したがって、貯水ゲートを開放状態で給水用縦管を介して排水横管への給水を行うようにすれば、排水横管の管底に残った排泄物を下流側に向って洗い流して排水横管からマンホール等の下水経路に排出することができる。すなわち、排水横管の詰まり等を未然に防ぐことができる。
【発明の効果】
【００１８】
本発明の配管構造は、上記のように、排水横管に給水する給水用縦管と、この給水用縦管の上端を塞ぐ蓋と、前記排水横管内の水に浮かぶように設けられた総比重が１より小さい浮体を少なくとも有する水位確認手段を備え、この水位確認手段は、前記蓋で給水用縦管の上端を塞いだ状態で、蓋上方からから視認可能で前記浮体の上下に連動して位置が移動して水位を確認可能な水位確認部が前記浮体の一部あるいは浮体の上端部に連設され浮体の上下に連動して位置移動する部材に設けられているので、災害発生時に使用できなくなるおそれのある電源や動力を用いることなく、簡易的な構造をもって、水位の確認を地表側から容易に行うことができる。
すなわち、排水配管内の汚臭を極力嗅ぐことなく、地表側から排水横管の水位を容易に確認でき、水の無駄な使用を防ぐことができる。
【００１９】
また、例えば、縦管の蓋の構造を改造するだけで、既に設置された仮設トイレ用配管を本発明の配管構造とすることができる。
すなわち、既設の仮設トイレ用配管を周囲の土を掘削する等の土木工事を行わなくても容易に本発明の配管構造とすることができる。
【図面の簡単な説明】
【００２０】
【図１】本発明の配管構造の１つの実施の形態をあらわす図である。
【図２】図１の配管構造の貯水ゲートが閉じた状態のマンホール部分を説明する切欠断面図である。
【図３】図１の配管構造の貯水ゲートが開いた状態のマンホール部分を説明する切欠断面図である。
【図４】図１の配管構造の給水用縦管部分の上部断面図である。
【図５】図１の配管構造の給水用縦管の縦管用蓋を下方からみた斜視図である。
【図６】図５の縦管用蓋を上部からみた要部斜視図である。
【図７】図５の縦管用蓋の小径筒部の断面図である。
【図８】本発明の配管構造の水位確認手段の第１の変形例を概略的にあらわす図である。
【図９】本発明の配管構造の水位確認手段の第２の変形例を概略的にあらわす図である。
【図１０】本発明の配管構造の水位確認手段の第３の変形例を概略的にあらわす図である。
【図１１】本発明の配管構造の水位確認手段の第４の変形例を概略的にあらわす図である。
【発明を実施するための形態】
【００２１】
以下に、本発明を、その実施の形態をあらわす図面を参照しつつ詳しく説明する。
図１は、本発明の配管構造を備えた仮設トイレ用配管の第１の実施の形態をあらわしている。
【００２２】
図１に示すように、この仮設トイレ用配管１は、排水横管２、給水用縦管３ａと，複数の便器接続用縦管３ｂを備えている。
排水横管２は、地震災害等の災害時に避難所となる学校や公民館の敷地内に排水勾配を設けた状態で埋設されている。
【００２３】
排水横管２は、排水勾配の下流側端部が図１〜図３に示すように、マンホール５内に臨んでいるとともに、下流側端に貯水ゲート４を備えている。
貯水ゲート４は、図２、図３に示すように、ゲート本体４１と、固定部４２を備えている。
【００２４】
固定部４２は、排水横管２の最下流端に固定されるとともに、ゲート本体４１を上下方向にスライド可能に支持している。
ゲート本体４１は、図２に示すように、最下端まで下げられた状態で、排水横管２の上端部側にオーバーフロー口４３を形成する大きさに形成されていて、図３に示すように、上方に引き上げることによって、排水横管２内の排水（排泄物やトイレットペーパー等を含む）をマンホール５内に排水可能になっている。
【００２５】
給水用縦管３ａおよび便器接続用縦管３ｂは、例えば、その上端が、地表から約１５ｃｍ下方に位置するように配置され、図４に示すように、その上端が地表側に設けられたマンホール蓋７内に臨んでいる。
給水用縦管３ａの長さは、排水横管２の埋設深さによって異なるが、排水横管２の頂部から３０〜１３０ｃｍの範囲が一般的である。なお、排水横管２の埋設深さは、貯水ゲート４の設置深さに基づく。
【００２６】
マンホール蓋７は、蓋本体７１を開放することによって給水用縦管３ａおよび便器接続用縦管３ｂの上端部を地表側から臨めるようになっている。
【００２７】
また、給水用縦管３ａは、排水横管２の最も上流側に設けられていて、例えば、内径１００ｍｍ〜３００ｍｍで、内径２００ｍｍの硬質塩化ビニル管（ＶＵ）が一般的に用いられ、図４に示すように、その上端に縦管用蓋７２を備えている。
【００２８】
縦管用蓋７２は、透明樹脂からなる蓋本体７４と、透明樹脂からなる点検蓋７３を有し、図５に示すように、水位確認手段８ａを一体に備えているとともに、蓋本体７４および点検蓋７３越しに給水用縦管３ａ内を視認できるようになっている。
【００２９】
蓋本体７４は、給水用縦管３ａの上端に嵌合されていて、点検孔７４ａを備えるとともに、後述する水位確認手段８ａの大径筒部８０が貫通している。
点検蓋７３は、点検孔７４ａに嵌合するようになっているとともに、キャップ（図示せず）を点検蓋７３の上面側に有する給水孔７６を備えている。給水孔７６は、図示していないが、給水用のホース先端が接続されたとき、接続部をシールするＯリングなどのシール材が設けられている。
【００３０】
水位確認手段８ａは、貫通孔を構成する大径筒部８０と、ガイド部を構成する筒状体である小径筒部８１と、浮体８２を備えている。
大径筒部８０は、図４〜図６に示すように、蓋本体７４を貫通した状態で蓋本体７４に固定されていて、内径が中間部で後述するスライド軸８２ｂの外径より少し大きく、ストッパー８２ｃよりも小径となるように小径化している。
【００３１】
小径筒部８１は、上端が大径筒部８０の下端に嵌合しているとともに、壁面に複数の長孔状のスリット８１ａが、小径筒部８１の軸方向に１列に並んだ状態で穿設されていて、下端に後述するスライド軸８２ｂの外径より少し大きな内径（スライド軸８２ｂにスライドを妨げない限りできるだけスライド軸８２ｂの外径に近い方が好ましい）のガイド孔を備えたキャップ８１ｄが嵌合されている。
【００３２】
浮体８２は、浮体本体８２ａと、水位確認部を備えた棒状体としてのスライド軸８２ｂを備えていて、浮体８２全体の比重が１未満となっている。
浮体本体８２ａは、ボール状をした樹脂中空体で形成されている。
【００３３】
スライド軸８２ｂは、金属製あるいは樹脂製の丸棒あるいは円管からなり、図示していないが、上記スリット８１ａを介して視認可能な目盛りが周面の所定位置に設けられている。
また、スライド軸８２ｂは、図４〜図７に示すように、一端が浮体本体８２ａに固定されていて、大径筒部８０および小径筒部８１に上下方向にスライド可能に挿通されている。
【００３４】
スライド軸８２ｂは、その上端に、ストッパー８２ｃが設けられている。
ストッパー８２ｃは、後述するように、縦管用蓋７２で給水用縦管３ａを閉じた状態で、浮体本体８２ａが所定位置まで下がったとき、大径筒部８２の中間に設けられた小径部で係止されて、浮体本体８２ａが排水横管２の管底に当たらない位置になるように設けられている。
すなわち、排水横管２内の水が完全に排水されても、浮体本体８２ａが排水横管２の管底に当たって、衝撃により破損したりすることがないようになっている。
【００３５】
便器接続用縦管３ｂは、図示していないが、水位確認手段を備えていない縦管用蓋を上端に備えている。
そして、便器接続用縦管３ｂは、災害が発生し、仮設トイレが必要になれば、上記マンホール蓋７の蓋本体７１を開放状態とするとともに、縦管用蓋を開放したのち、仮設トイレの便器が、縦管３ｂの上端に接続されるようになっている。
【００３６】
そして、仮設トイレ用配管１は、以下のようにして使用される。
まず、災害発生により、仮設トイレの設置が必要な場合、便器接続用縦管３ｂに仮設トイレの便器を接続する。
【００３７】
貯水ゲート４を最下端まで下げて貯水可能とした状態で、給水用縦管３ａの上のマンホール蓋７の蓋本体７１を開放し、キャップを取り除いた給水孔７６にホースの先端を接続して給水用縦管３ａを介して排水横管２内に水を供給し、排水横管２に使用開始設定水位まで貯水する。
使用開始設定水位は、特に限定されないが、貯水ゲート４によって形成されるオーバーフロー口４３の最下端から６〜１５ｃｍ下方になるようにすることが好ましい。
【００３８】
なお、仮設トイレを使用前の排水横管２内に汚水が貯まっていない場合には、汚臭があまりしないので、縦管用蓋７２の点検用蓋７３を取り除き、点検孔７４ａ直接から給水用縦管３ａを介して注水を行うようにしても構わない。
【００３９】
一方、仮設トイレを使用し、排水横管２内に排泄物が貯まり、水位が上昇してくるが、排水横管２の水位が、オーバーフロー口４３からオーバーフローする高さまで上昇したことが水位確認手段８ａによって確認されると、必要に応じて貯水ゲート４を図３に示すように引き上げて、排水横管２内の汚水をマンホール５側に流し、流出管６を介して下水路へ流す。
なお、貯水ゲート４は、オーバーフローを確認して直ちに行う必要は無く、避難所に避難している被災者の人数に応じて規定された時間内に貯水ゲート４を開放するようにしてもよい。
【００４０】
排水横管２からの排水が完了したら、貯水ゲート４を最下端まで下げて、排水横管２を貯水可能状態にする。
排水横管２が貯水可能状態になると、縦管用蓋７２によって給水用縦管３ａの上端を閉じた状態で、大径筒部８０にホースを接続し、蓋本体７４あるいは点検用蓋７３越しに、スライド軸８２ｂに設けられた目盛りが小径筒部８１の最も上側のスリット８１ａの下端縁をより上側になるのを確認できるまで、大径筒部８０を介して給水用縦管３ａに水を注水する。
【００４１】
上記のように、この仮設トイレ用配管１は、給水用縦管３ａの蓋７２を開けなくても、排水横管２内の水位が地表側から確認できるので、水位を点検する際に、作業者が排水配管１内の汚臭を嗅いで、不快な思いをすることを極力防止できる。
しかも、水位を確認しながら、注水を行えるので、水の無駄な使用を防ぐことができる。
【００４２】
オーバーフロー口４３が設けられているので、排水横管２に貯まった汚水の水位がオーバーフロー口４３の高さ以上になると、汚水がオーバーフロー口４３からオーバーフローする。したがって、汚水の水位が便器接続用縦管３ｂおよび便器まであふれることを防ぐことができる。
【００４３】
また、この仮設トイレ用配管１の構造は、水位確認手段８ａが一体に設けられた縦管用蓋７２を、従来の縦管用蓋に取り替えるだけでよいため、排水横管または縦管等に加工や、周囲の土を掘削等する必要もなく、既設の仮設トイレ用配管を低コストで機能的に優れた上記仮設トイレ用配管１にすることができる。
【００４４】
小径筒部８１にスリット８１ａが設けられているので、万一、小径筒部８１内にスライド軸８２ｂのスライドを阻害する析出物等が生じた場合、スリット８１ａから洗浄水を小径筒部８１内に噴射すれば、析出物を容易に洗い流すことができる。
【００４５】
なお、本発明の配管構造は、上記の実施の形態に限定されない。
例えば、蓋７２は、透明樹脂で形成されていなくてもよい。蓋７２を不透明な樹脂や金属等で形成した場合、水位確認部を、例えば、ストッパー８２ｃが兼用するようにしても構わない。すなわち、ストッパー８２ｃの高さ位置で水位を確認するようにしても構わない。また、ストッパー８２ｃの高さ位置を視認しやすくするために、大径筒部８０のみを透明樹脂で形成するようにしても構わない。
【００４６】
また、スリット８１ａは、複数設けなくても構わない。すなわち、小径筒部８１の長手方向全長に亘ってスリット８１ａを設けるようにしても構わない。また、スライド軸８２ｂに設けた目盛りを見る部分にのみスリット８１ａを設けるようにしてもよい。
大径筒部８０が給水孔を兼用するようにしても構わない。大径筒部８０が給水孔を兼用するようにすれば、給水毎に大径筒部８０および小径筒部８１内を洗浄することができる。
【００４７】
上記の実施の形態では、給水用縦管３ａの上側をマンホール蓋７で覆うようにしていたが、給水用縦管部分にはマンホール蓋を設けなくとも構わない。
【００４８】
上記の実施の形態では、浮体本体８２ａがボール状をした樹脂中空体であったが、角型でも構わないし、樹脂発泡体でも構わない。
上記の実施の形態では、スライド軸８２ｂが丸棒または円管であったが、角棒や角筒でも構わない。
【００４９】
図８は、水位確認手段の第１変形例を模式的にあらわしている。
図８に示すように、この水位確認手段８ｂは、透明樹脂からなる曲がり管８８と、浮体８２と、水位確認部となる摺動体８９ｂと、コイルばね８９ａを有している。
【００５０】
曲がり管８８は、上端に水平筒部８８ａを備え、図示していないが、この水平筒部８８ａが縦管用蓋７２の上面に沿うように設けられている。
また、曲がり管８８は、給水兼用にはなっていない。したがって、縦管用蓋７２には、給水管が別途設けられている。
【００５１】
摺動体８９ｂは、樹脂や金属で形成された円筒体あるいは円柱体であって、その外径が曲がり管８８の水平筒部８８ａの内径と同じか少し小径になっている。
また、摺動体８９ｂは、コイルばね８９ａを介して浮体８２のスライド軸８２ｂに接続されている。
【００５２】
そして、この水位確認手段８ｂは、浮体８２の浮体本体８２ａが排水横管２の水位に応じて上下すると、スライド軸８２ｂの上下動がコイルばね８９ａを介して水平筒部８８ａ内の摺動体８９ｂが水平方向にスライドする。
また、摺動体８９ｂの位置は、曲がり管８８が透明であるので、曲がり管８８の外側から視認することができ、曲がり管８８の表面に目盛り（図示せず）を設けることで、摺動体８９ｂの位置によって、排水横管２の水位を容易に確認することができる。
さらに、マンホール蓋７下方の空間は、概ね１０ｃｍ程度の高さしかないが、上記のように水平筒部８８ａを縦管用蓋７２の上面に沿うように設けることで、マンホール蓋７の下方空間にうまく収容することができる。
【００５３】
なお、浮体のスライド棒８２ｂと摺動体８９、曲がり管８８の曲がりに追従して曲がり、弾性復元するような材料であれば、コイルばね８９ａ以外も使用可能である。
【００５４】
図９は、水位確認手段の第２変形例を模式的にあらわしている。
図９に示すように、この水位確認手段８ｃは、浮体８４が円筒形をしていて、浮体８４が内部に挿通されたガイドシャフト８５によってガイドされながら上下動するようになっている。
【００５５】
図１０は、水位確認手段の第４変形例を模式的にあらわしている。
図１０に示すように、この水位確認手段８ｄは、長手方向に連続する凹溝部を備えた浮体８６ａがこの凹溝部に嵌り込む凸部を備えたガイド部材８６ｂにガイドされながら上下動するようになっている。
【００５６】
図１１は、水位確認手段の第３変形例を模式的にあらわしている。
図１１に示すように、この水位確認手段８ｅは、長手方向に連続する凸部を備えた浮体８７ａが、凸部が嵌り込むガイド溝を備えたガイド部材８７ｂにガイドされながら上下動するようになっている。
【００５７】
本発明は、上記の実施の形態に限定されない。例えば、上記の実施の形態では、災害発生後に排水横管２内に注水するようにしていたが、定期的に点検をして予め排水横管内に常に所定水位の水が貯水されているようにしても構わない。
上記の実施の形態では、水位確認手段が最上流の縦管に設けられていたが、中間位置に設けられていても構わない。
【符号の説明】
【００５８】
１  仮設トイレ用配管
２  排水横管
３ａ  給水用縦管
３ｂ  便器接続用縦管
４  貯水ゲート
４１  ゲート本体
４２  ガイド枠
４３  オーバーフロー口
５  マンホール
６  流出管
７  マンホール蓋
７１  蓋本体
７２  縦管用蓋
７３  点検蓋
７４  蓋本体
７４ａ  点検孔
７６  給水孔
８ａ，８ｂ，８ｃ，８ｄ，８ｅ  水位確認手段
８０  大径筒部
８１  小径筒部
８１ａ
８１ｄ
８２  浮体
８２ａ  浮体本体
８２ｂ  スライド軸
８２ｃ  ストッパー
８４  浮体
８５  ガイドシャフト
８６ａ  浮体
８６ｂ  ガイド部材
８７ａ  浮体
８７ｂ  ガイド部材
８８  曲がり管
８８ａ  水平筒部
８９ａ  コイルばね
８９ｂ  摺動体
【図１】
2016211220.tif 000003
【図２】
2016211220.tif 000004
【図３】
2016211220.tif 000005
【図４】
2016211220.tif 000006
【図５】
2016211220.tif 000007
【図６】
2016211220.tif 000008
【図７】
2016211220.tif 000009
【図８】
2016211220.tif 000010
【図９】
2016211220.tif 000011
【図１０】
2016211220.tif 000012
【図１１】
2016211220.tif 000013